(57)【要約】【課題】  エレベータの出入口枠６の折曲部に形成された開口６ｃに取り付けられたエレベータの表示装置７において、上記開口６ｃの拡幅を阻止して、出入口枠６の表面が不揃いになるのを防止すると共に、上記表示装置７を構成する表示体１１が開口６ｃから脱落するのを防止するようにしたエレベータの表示装置７を提供する。【解決手段】  板材を折り曲げて形作られたエレベータの出入口枠６の上記折曲部に形成された開口６ｃに表示体１１を嵌めてエレベータの動作状態を上記表示体１１を介して表示するようにしたエレベータの表示装置７に係るものであって、上記出入口枠６の上記開口６ｃを隔てた上記折曲部の一方の内面と他方の内面とを連結具１３で連結して、上記開口６ｃの拡幅を阻止するようにしたものである。【選択図】        図５
2005314070.tif 000002
【特許請求の範囲】
【請求項１】
板材を折り曲げて形作られたエレベータの出入口枠の上記折曲部に形成された開口に表示体を嵌めて上記エレベータの動作状態を上記表示体を介して表示するようにしたエレベータの表示装置において、上記出入口枠の上記開口を隔てた上記折曲部の一方の内面と他方の内面とを連結具で連結して、上記開口の拡幅を阻止するようにしたエレベータの表示装置。
【請求項２】
表示体は、エレベータが停止する階床に対応させて出入口枠内に列設された発光体によって選択的に照射されて上記階床を表示するものとし、上記発光体は、上記出入口枠の開口を隔てた折曲部の一方の内面に一方の端縁が立設され、他方の内面に他方の端縁が立設された仕切板によって個別に仕切られて隣接する上記発光体の照射域へ光が漏れるのを阻止されるものとし、上記仕切板は、上記出入口枠の上記折曲部の上記両内面を連結する連結具を兼ねるものとした請求項１に記載のエレベータの表示装置。
【請求項３】
表示体、発光体、仕切板及び連結具は、開口に沿って出入口枠内に延設された遮蔽板によって上記出入口枠の内側から被われるものとした請求項２に記載のエレベータの表示装置。
【請求項４】
遮蔽板は、一端部がヒンジを介して出入口枠の内側面に揺動自在に取り付けられるものとした請求項３に記載のエレベータの表示装置。
【発明の詳細な説明】
【技術分野】
【０００１】
この発明は、エレベータの動作状態を乗場又はかご内の利用客に知らせるためのエレベータの表示装置に係るものである。
【背景技術】
【０００２】
従来のエレベータの表示装置は、例えば、特許文献１に開示されているように、出入口枠の上板に貫通孔が形成され、この貫通孔に表示片が嵌められて階床名等が表示されるようになっていた。
最近は、図１０に示したように、エレベータの乗場出入口４を仕切る幕板６の幕板側面６ａと幕板下面６ｂが接合する折曲部に形成された幕板開口６ｃに位置表示器７が嵌め込まれたものがある。
即ち、幕板側面６ａは直角に折り曲げられて幕板下面６ｂとなり、この折曲部げに幕板開口６ｃが形成されて表示体１１が嵌められている。この表示体１１の表示体側面１１ａ及び表示体下面１１ｂの両端部分は、それぞれ側面鍔１１ａ１及び下面鍔１１ｂ１になっていて、幕板側面６ａ及び幕板下面６ｂの開口６ｃ側の縁部内面に当接している。幕板開口６ｃ部の幕板６内にはエレベータが停止する階床に対応させてランプ１７が列設されている。各ランプ１７の照射域は、隣接するランプ１７の照射域へ光が漏れるのを阻止するために、仕切板１８によって個別に仕切られている。上記仕切板１８は、一方の端縁が幕板側面６ａの内面に立設され、他方の端縁が幕板下面６ｂの内面に立設されている。
【０００３】
また、表示体１１の斜面には、当て板１２が添着されていて、ランプ１７からの光を拡散させて表示体１１が一様に照射されるようになっている。この当て板１２は、押え金具２２ａ及びスタッドボルト２３ａと、押え金具２２ｂ及びスタッドボルト２３ｂによって表示体１１の斜面に押圧されている。
更に、ランプ１７、仕切板１８は、遮蔽板１５によって被われており、この遮蔽板１５は、一端がスタッドボルト１６ａによって幕板側面６ａの内側に緊締されている。他端がスタッドボルト１６ｂによって幕板下面６ｂの内側に緊締されている。
上記構成のエレベータの表示装置は、エレベータのかごの位置に従ってランプ１７が選択的に点灯して表示体１１を照射して階床を表示するようになっている。
【０００４】
【特許文献１】実開昭５７−１５１３６２号公報（第１〜２頁、図１、図２）
【発明の開示】
【発明が解決しようとする課題】
【０００５】
従来のエレベータの表示装置は、上記のとおり、側面鍔１１ａ１及び下面鍔１１ｂ１を開口６ｃ側の縁部内面に当接させて表示体１１を係止していた。
しかし、開口６ｃは、表示体１１の重量によって、また、押え金具２２による表示体１１への押圧力によって変形して拡幅し易い。即ち、当初は幕板側面６ａの開口６ｃ部の端縁から幕板下面６ｂの開口６ｃ部の端縁までの幅が距離Ｗｏであったものが、上記理由によって開口６ｃが拡幅し、図１０に二点鎖線で示したとおり距離Ｗ１になったとする。この拡幅によって表示体１１が前傾する。しかも、上記拡幅は場所によって異なる。このため、幕板側面６ａ又は幕板下面６ｂが不揃いになり美観を損なう、という問題があった。
また、開口６ｃの拡幅が更に進行すると、表示体１１が幕板６から脱落することが危惧される、という問題もあった。
【０００６】
上記問題を解決するために、表示体１１の鍔１１ａ１及び１１ｂ１を大きくして、幕板６との重合面積を増大させることも考えられる。
しかし、上記重合面積の増大は、表示体１１を大形化することになって、透過光が減少することになる。この減少を避けるためには、ランプ１７の出力を増大させなければならない、という別の問題が生じる。
また、鍔１１ａ１及び１１ｂ１を大きくしても幕板６の変形は避けられず、美観を損なう、という問題の解決にはならない。
【０００７】
この発明は、上記問題点を解決するためになされたもので、エレベータの出入口枠の折曲部に形成された開口の拡幅を阻止して、出入口枠の表面が不揃いになるのを防止すると共に、上記拡幅に伴う上記表示体の上記開口からの脱落を防止したエレベータの表示装置を提供することを目的とする。
【課題を解決するための手段】
【０００８】
この発明に係るエレベータの表示装置は、板材を折り曲げて形作られたエレベータの出入口枠の上記折曲部に形成された開口に表示体を嵌めてエレベータの動作状態を上記表示体を介して表示するようにしたエレベータの表示装置に係るものであって、上記出入口枠の上記開口を隔てた上記折曲部の一方の内面と他方の内面とを連結具で連結するようにしたものである。
【発明の効果】
【０００９】
この発明は上記のとおり、出入口枠の折曲部に形成された開口を隔てた折曲部の一方の内面と他方の内面とを連結具で連結したので、上記開口の拡幅を阻止することができる。
この拡幅阻止によって、出入口枠の折曲部の面を一様に揃えて美観を維持することができると共に、上記拡幅に伴う上記表示体の上記開口からの脱落を防止することもできる。
【発明を実施するための最良の形態】
【００１０】
以下、図面を参照して、この発明の実施の形態について説明する。なお、各図中、同一又は相当する部分には同一符号を付し、説明の重複を省いた。
実施の形態１．
図１から図５は、この発明の実施の形態１を示す。
図１はエレベータの表示装置７が取り付けられた乗場１の正面図である。図において、乗場１の壁２には乗場釦９が取り付けられている。また、壁２には乗場出入口４が開設されており、乗場戸８によって開閉される。乗場出入口４の両側は、縦枠５によって仕切られている。また、乗場出入口４の上側は、幕板６によって仕切られている。縦枠５及び幕板６は、板材を折り曲げて形作られたエレベータの出入口枠を構成している。幕板側面６ａと幕板下面６ｂとの折曲部には開口が形成されていて、表示装置７が嵌設されている。表示装置７を構成する表示体１１は、エレベータが停止する階床を表示するもので、上記階床に対応させて分断されて、それぞれ水平方向に配列されている。
【００１１】
図２は図１のＩＩ−ＩＩ線断面を矢視したエレベータの表示装置の縦断面図、図３は図１のＩＩＩ−ＩＩＩ線断面を矢視した断面図、図４は図１のＩＶ−ＩＶ線断面を矢視した断面図、図５はエレベータの出入口枠を破断して表示装置の内部を示す斜視図である。以下、図２から図５を総合してエレベータの表示装置を説明する。
幕板側面６ａは直角に折り曲げられて幕板下面６ｂとなり、この折曲部に幕板開口６ｃが形成されて表示体１１が嵌められている。この表示体１１は、断面が直角三角形状になっており、かつ、直角を挟む表示体側面１１ａと表示体下面１１ｂの端部は、いずれも幕板６の板厚相当分だけ段落になっている。この段落部は、それぞれ側面鍔１１ａ１及び下面鍔１１ｂ１になっていて、幕板側面６ａ及び幕板下面６ｂの開口６ｃ側の縁部内面に当接している。従って、側面鍔１１ａ１及び下面鍔１１ｂ１が、幕板６の内面に当接した状態では、表示体側面１１ａと幕板側面６ａは同一面となる。また、表示体下面１１ｂと幕板下面６ｂも同一面になっている。更に、上記のとおり、表示体１１は、エレベータが停止する階床に対応させて分断されており、隣接する表示体１１に接する側の一端部は段落になっていて、上記隣接表示体１１に密接させることにより、仕切溝１１ｃが形成される。更にまた、表示体１１の斜面には、当て板１２が添着されている。この当て板１２は、押え金具２２ａ及びスタッドボルト２３ａと、押え金具２２ｂ及びスタッドボルト２３ｂによって表示体１１の斜面に押圧されている。
【００１２】
幕板６の開口６ｃを隔てた部分の幕板側面６ａの内面にはスタッドボルト１４ａが植設されている。また、幕板下面６ｂの内面にはスタッドボルト１４ｂが植設されている。両スタッドボルト１４ａ、１４ｂに連結板１３が係止されている。この連結板１３は、開口６ｃを隔てた部分の幕板側面６ａと幕板下面６ｂとを連結するものである。従って、開口６ｃは上記連結板１３によって拡幅するのを阻止される。
幕板６内には、エレベータが停止する階床に対応させて発光体であるランプ１７が列設されており、エレベータの動作に従って選択的点灯して当て板１２を照射する。当て板１２は、乳白色のアクリル材又はショットブラスト加工が施された光を拡散する材料で作られており、透過した光は、拡散されて表示体１１を一様に照射して階床を表示する。ここで、上記ランプ１７は、三角形状の仕切板１８によって個別に仕切られて隣接するランプ１７の照射域へ光が漏れるのを阻止されるようになっている。上記仕切板１８は、幕板側面６ａの内面に一端縁が当接され、幕板下面６ｂの内面に他端縁が当接され、かつ、斜辺部が仕切溝１１ｃに嵌め込まれていて、光が漏れるのを阻止するようになっている。また、仕切板１８は、ねじ１９によって連結板１３とも緊締されている。
【００１３】
また、幕板６内には「く」の字状に屈曲された遮蔽板１５が開口６ｃに沿って延設されており、スタッドボルト１６ａ、１６ｂによって固定されて開口６ｃを被っている。遮蔽板１５の上面内側にはランプ１７が取り付けられている。また、仕切板１８は遮蔽板１５の上面内側と側面内側に溶接されている。遮蔽板１５の側面には点検口１５ａが形成されていて、この点検口１５ａを介してランプ１７の交換、及びねじ１９の着脱を行うようになっている。蓋体２０は、ねじ２１によって遮蔽板１５に取り付けられていて、常時点検口１５ａを塞いでいる。従って、ねじ１９を外し、かつ、スタッドボルト１６ａ、１６ｂによる緊締を解くと、ランプ１７、仕切板１８及び蓋体２０が遮蔽板１５と共に取り外される。
【００１４】
上記実施の形態１によれば、出入口枠を構成する幕板６の折曲部に形成された開口６ｃを隔てた幕板側面６ａの内面と幕板下面６ｂの内面とを連結具である連結板１３で連結したので、開口６ｃの拡幅を阻止することができる。
この拡幅阻止によって、幕板６の折曲部の面を、開口６ｃ部分も含めて一様に揃えることができ、美観を維持することができると共に、拡幅阻止によって表示体１１が開口６ｃからの脱落を防止することもできる。
また、側面鍔１１ａ１及び下面鍔１１ｂ１と幕板６との重なり代を小さくすることができるので、表示体１１を小形化することができる。このため、表示体１１を安価にすることができる。
特に、連結板１３は、ねじ１９によって仕切板１８に緊締されたことによって補強されるので、開口６ｃの拡幅を一層確実に阻止することができる。
更に、仕切板１８に加えて遮蔽板１５によってもランプ１７を被うようにしたので、光漏れを確実に防止することができる。
なお、上記実施の形態１では、位置表示器７は天井３まで立ち上がった幕板６に取り付けられるものとしたが、幕板６に替えて三方枠の上枠に取り付けられるものとしても同様である。
【００１５】
実施の形態２．
図６及び図７は、この発明の実施の形態２を示す。実施の形態１では、仕切板１８は遮蔽板１５に溶接されるものとしたが、この実施の形態２では、図示したとおり、光漏れを阻止する三角形状の仕切板２８は、幕板６の開口６ｃを隔てた折曲部の幕板側面６ａの内面に植設されたスタッドボルト２４ａに一方の端縁が取り付けられて立設され、幕板下面６ｂの内面に植設されたスタッドボルト２４ｂに他方の端縁が取り付けられて立設されている。従って、仕切板２８は、幕板６の開口６ｃを隔てた折曲部の両内面を連結する連結具を兼ねるものである。また、仕切板２８の斜辺部は仕切溝１１ｃに嵌め込まれており、他の２辺部には、シーリング材２９が添着されている。
【００１６】
遮蔽板３０は、一端部がヒンジ３１によって幕板側面６ａの内側面に揺動自在に取り付けられている。常時は、遮蔽板３０は下げられて他端部が幕板下面６ｂの内面に植設されたスタッドボルト３２に係止されている。このとき、仕切板２８と遮蔽板３０の接合部は、シーリング材２９によって密封状態となり、光漏れは阻止される。
ランプ１７は遮蔽板３０に取り付けられており、取り替える場合は、スタッドボルト３２との係止を解いて、遮蔽板３０を上げることによりランプ１７が露出するので、容易に取り替えることができる。
【００１７】
上記実施の形態２によれば、仕切板２８は、幕板６の開口６ｃを隔てた折曲部の両内面を連結する連結具として機能するので、開口６ｃの拡幅を阻止することができ、美観を維持することができると共に、表示体１１の脱落を防止することもできる。
特に、遮蔽板３０と仕切板２８とを分離し、かつ、遮蔽板３０を遥動可能にしたので、仕切板２８を幕板６の内面に立設した状態で、ランプ１７を容易に取り替えることができる。
【００１８】
実施の形態３．
図８は、この発明の実施の形態３を示す。この実施の形態３では、乗場出入口４の両側を仕切る縦枠３５に位置表示器３７を取り付けたものである。
即ち、縦枠３５は板材を折り曲げて形作られており、縦枠３５の前面と出入口側面との折曲部には開口が形成されて位置表示器３７が嵌設されている。従って、各表示体１１は縦列に配置されている。
位置表示器３７の内部は、上記実施の形態１又は２と同様に構成されていて、縦枠３５の開口を隔てた折曲部の前面と出入口側面は、各内面が連結板１３又は仕切板２８と同様な構造の連結具で連結されていて、上記開口の拡幅を阻止している。
【００１９】
上記実施の形態３によっても、縦枠３５の折曲部に形成された開口の拡幅は阻止されるので、縦枠３５の美観を維持することができると共に、表示体１１の脱落を防止することもできる。
【００２０】
実施の形態４．
図９は、この発明の実施の形態４を示す。この実施の形態４では、かご出入口４４の上枠４６に位置表示器４８を取り付けたものである。
かご室４１は、前面に袖壁４７が立設されている。この袖壁４７のかご出入口４４側端部は、かご出入口４４の左右を仕切る縦枠４５に相当する。また、かご出入口４４の上側は、上枠４６によって仕切られている。縦枠４５及び上枠４６は、いずれも板材を折り曲げて形作られている。上枠４６のかご室４１内側の上枠側面４６ａと上枠下面４６ｂとの折曲部には開口が形成されていて、位置表示器４８が嵌設されている。この位置表示器４８も、実施の形態１又は実施の形態２における位置表示器７と同様に構成されている。
即ち、上枠４６の開口を隔てた折曲部の上枠側面４６ａと上枠下面４６ｂとは、各内面が連結板１３又は仕切板２８と同様な構造の連結具で連結されていて、上記開口の拡幅を阻止している。
【００２１】
上記実施の形態４によっても、上枠４６の折曲部に形成された開口の拡幅は阻止されるので、上枠４６の美観を維持することができると共に、表示体１１の脱落を防止することもできる。
【図面の簡単な説明】
【００２２】
【図１】この発明の実施の形態１におけるエレベータの表示装置が取り付けられた乗場１の正面図。
【図２】図１のＩＩ−ＩＩ線断面を矢視したエレベータの表示装置の縦断面図。
【図３】図１のＩＩＩ−ＩＩＩ線断面を矢視した断面図。
【図４】図１のＩＶ−ＩＶ線断面を矢視した断面図。
【図５】この発明の実施の形態１におけるエレベータの表示装置の要部を示す斜視図。
【図６】この発明の実施の形態２におけるエレベータの表示装置の縦断面図。
【図７】この発明の実施の形態２におけるエレベータの表示装置の要部を示す斜視図。
【図８】この発明の実施の形態３におけるエレベータの表示装置が取り付けられた乗場１の正面図。
【図９】この発明の実施の形態４におけるエレベータの表示装置が取り付けられたかご室４１の正面図。
【図１０】従来のエレベータの表示装置の縦断面図。
【符号の説明】
【００２３】
１  乗場、  ２  壁、  ３  天井、  ４  乗場出入口、  ５  縦枠、  ６  幕板、  ７  位置表示器、  ８  乗場戸、  ９  乗場釦、  １１  表示体、  １１ａ  表示体側面、  １１ｂ  表示体下面、  １１ｃ  仕切溝、  １１ａ１  側面鍔、  １１ｂ１  下面鍔、  １２  当て板、  １３  連結板、  １４  スタッドボルト、  １５  遮蔽板、  １５ａ  点検口、  １６  スタッドボルト、  １７  ランプ、  １８  仕切板、  １９  ねじ、  ２０  蓋体、  ２１  ねじ、  ２２  押え金具、  ２３  スタッドボルト、  ３０  遮蔽板、  ３１  ヒンジ、  ３２  スタッドボルト、  ３５  縦枠、  ３６  上枠、  ３７  位置表示器、  ４１  かご室、  ４４  かご出入口、  ４５  縦枠、  ４６  上枠、  ４７  袖壁、  ４８  位置表示器。
【図１】
2005314070.tif 000003
【図２】
2005314070.tif 000004
【図３】
2005314070.tif 000005
【図４】
2005314070.tif 000006
【図５】
2005314070.tif 000007
【図６】
2005314070.tif 000008
【図７】
2005314070.tif 000009
【図８】
2005314070.tif 000010
【図９】
2005314070.tif 000011
【図１０】
2005314070.tif 000012